(57)【特許請求の範囲】
【請求項１】
キーホルダー、ペンダント、文鎮といった装飾性の小物を販売する自動販売機において、
プラスチックまたはゴムのモノマー、プレポリマーまたは溶融物であって、固化後に透明であるものを供給する透明樹脂液供給手段と、
前記透明樹脂液供給手段から供給される透明樹脂液を成形型の中に流し込んで固化することにより前記小物を作成する注型成形手段と、
前記固化により得られる成形体の形状について、または、この成形体に対する着色もしくは金具接続の有無または種類について選択する成形選択手段と
を備えたことを特徴とする自動販売機。
【請求項２】
請求項１記載の自動販売機において、
小寸法の写真、押し花といった小片を客から受け入れるための小片受入手段と、
前記小片受入手段により受け入れられた小片を、前記固化の前に前記成形型の中に配置することにより、前記固化後の成形体に埋め込まれるようにする小片配置手段とを備え、
前記小片を埋め込んだ、前記キーホルダー等の装飾性の小物を販売する
ことを特徴とする自動販売機。
【請求項３】
請求項１記載の自動販売機において、
前記成形選択手段が、複数の成形型または複数の成形キャビティーから特定の形状のものを選択する成形型選択手段を含む
ことを特徴とする自動販売機。
【請求項４】
請求項１記載の自動販売機において、
前記透明樹脂液が紫外線硬化性である
ことを特徴とする自動販売機。
【発明の詳細な説明】
【０００１】
【発明の属する技術分野】
本発明は、キーホルダー、ペンダント、ブローチ、文鎮等の装飾性の小物を販売する自動販売機に関する。特には、量産される複製品ではない特注のものを作成して販売する自動販売機に関する。
【０００２】
【従来の技術】
観光地の土産物売場では、観光地の地名等が入ったキーホルダー、メダル等が記念品として販売されており、自動販売機で売られているものもある。
【０００３】
これらは、ほとんどの場合に同一デザイン、同一形状ものを工場生産して多量に販売しているものである。中には日付やイニシャルを入れられるものもあるが、他の外観は他の人が購入するものと全く同じである。これら土産物の中には、方々の観光地で全くの複製品が地名の印字だけ変えて売られているものさえある。
【０００４】
旅行が一般化するにつれて、このような大量複製品は消費者から徐々に飽きられ、より個性を持ったものが求められている。
【０００５】
そのため、地方独特の趣のある記念品や一つ一つ異なる手作りの品といったものが人気を増している。特には、自分の好みのデザインによって記念品となる小物の作成を注文したり、七宝焼きなどを自分で作成するといったことも行われている。
【０００６】
ここでは、土産物用品を例に取り説明したが、誕生日プレゼント用その他の記念品や装飾品でも同様である。
【０００７】
【発明が解決しようとする課題】
しかし、より個性的なものを求める消費者の要求に答えるために、趣のある記念品を多量に取り揃えて置き、しかも度々品揃えの変更を行うことは、デザイン力、陳列スペース、製造コストといった点から容易でない。また、時間とコストのかかる注文生産や製作体験といったことは、簡便に製品を得たいという消費者には適しない。
【０００８】
特に、従来の方法では、個性的な記念品を自動販売機で販売することは全く不可能である。
【０００９】
本発明は、キーホルダー等の装飾性の小物を販売する自動販売機において、個々人の好みに合わせた個性的な記念品となるものを供給することができ、しかも短時間に簡便に供給することができるものを提供する。
【００１０】
【課題を解決するための手段】
請求項１の自動販売機においては、キーホルダー、ペンダント、文鎮といった装飾性の小物を販売する自動販売機において、プラスチックまたはゴムのモノマー、プレポリマーまたは溶融物であって、固化後に透明であるものを供給する透明樹脂液供給手段と、前記透明樹脂液供給手段から供給される透明樹脂液を成形型の中に流し込んで固化することにより前記小物を作成する注型成形手段と、前記固化により得られる成形体の形状について、または、この成形体に対する着色もしくは金具接続の有無または種類について選択する成形選択手段とを備えたことを特徴とする。
【００１１】
上記構成により、多種の装飾用の小物を販売することができるとともに、これら多種のものをそれぞれ複数個、自動販売機の中に入れておくという必要がなく、特定の種類のものが売れ残ったり品切れになることもない。
【００１２】
請求項２の自動販売機においては、請求項１記載の自動販売機において、小寸法の写真、押し花といった小片を客から受け入れるための小片受入手段と、前記小片受入手段により受け入れられた小片を、前記固化の前に前記成形型の中に配置することにより、前記固化後の成形体に埋め込まれるようにする小片配置手段とを備え、前記小片を埋め込んだ、前記キーホルダー等の装飾性の小物を販売することを特徴とする。
【００１３】
上記構成により、客が任意の小片を持って来て透明樹脂中に埋め込むことができる。そのため、他人が持たない自分だけの物を簡単に得ることができるので、簡易に自分らしさを演出することができる。
【００１４】
請求項３の自動販売機においては、請求項１記載の自動販売機において、前記成形選択手段が、複数の成形型または複数の成形キャビティーから特定の形状のものを選択する成形型選択手段を含むことを特徴とする。
【００１５】
請求項４の自動販売機においては、請求項１記載の自動販売機において、前記透明樹脂液が紫外線硬化性であることを特徴とする。
【００１６】
上記構成により、透明樹脂液の流し込みを常温で行うことができるとともに、ＵＶ照射により短時間に硬化を完結させることができる。
【００１７】
【発明の実施の形態】
本発明の実施例を図１〜５に基づき説明する。
【００１８】
図１は、本実施例の自動販売機１の電気的構成を表すブロック図であり、図２は、自動販売機１の正面図である。
【００１９】
図１に示すように、自動販売機１には、注型成形装置２と、タッチパネルディスプレイ４と、金銭取り扱い部５とが備えられこれらがコンピューター３に接続している。
【００２０】
注型成形装置２は、客から受け入れた小片を透明樹脂中に埋め込んで成形するものである。そのため、注型成形装置２には、駆動シリンダーを備えた成形型２１、紫外線（ＵＶ）硬化性の透明樹脂を所定の成形型２１に供給する樹脂液供給部２２、この樹脂供給の前に成形型２１の減圧排気を行う減圧排気装置２３、及び、ＵＶランプ２４が含まれる。
【００２１】
透明樹脂中に埋め込む小片としては、旅行や記念日のための記念にしたい物、単にきれいと思う物や面白いと思う物など種々の物が考えられる。例えば、プリクラ（タックシール付きの小寸法インスタント写真）といった小寸法の写真、植物の花びらや葉っぱ、小型の貝殻、光沢のある小石といったものである。
【００２２】
ＵＶ硬化性の透明樹脂としては、エポキシ系樹脂が、得られる成型物の物性と安定性の点から好ましい。ＵＶ硬化性のエポキシ系樹脂としては、ＵＶに反応する潜在硬化剤を含むエポキシ樹脂や、エポキシアクリレート系の樹脂が挙げられる。しかし、ウレタンアクリレート系、ポリエステルアクリレート系、及び、シリコンアクリレート系の樹脂やＵＶ硬化性の不飽和ポリエステル樹脂といった種々のプレポリマーやモノマーが使用可能である。
【００２３】
ＵＶ硬化性の透明樹脂は、適当な染料または顔料により着色することができる。特に、着色する色彩を客が選択できるようにすることができる。例えば、ブルー、グリーン、オレンジ、琥珀色、及び、無着色から選択可能とする。さらに、着色の濃淡を選択できるようにすることもできる。染料等の着色剤は、透明樹脂液に予め混合しておくことができ、この場合、色彩ごとの複数の樹脂液タンクを準備して切替可能にすることができる。また、無着色の樹脂液をタンクに貯蔵しておき、着色液との混合装置を通ってを成形型に供給されるようにすることもできる。
【００２４】
図２に示すように、自動販売機１の正面には、商品見本展示部１１、小片投入・商品取出兼用口１２、タッチパネルディスプレイ４、硬貨及び紙幣の投入口５１，５２、及び、金銭返却レバー５３が備えられる。
【００２５】
商品見本展示部１１には、樹脂成形後の完成品の見本が陳列される。図示の例では、トランプのハート形、ダイア形、スペード形及び三つ葉形に成形された透明樹脂中に、それぞれ、プリクラ、葉っぱ、貝殻、小石が埋め込まれている。これらは、それぞれ、キーホルダー、ペンダント、ブローチ、及び文鎮を成している。
【００２６】
小片投入・商品取出兼用口１２は、樹脂中に埋め込む小片を客から受け入れるための受入口と、この小片が埋め込まれた成形体を客が取り出すための取り出し口とを兼ねる。また、釣り銭取り出し口をも兼ねる。
【００２７】
タッチパネルディスプレイ４は、ＣＲＴ（ブラウン管）または液晶ディスプレイの表示面にタッチスイッチ４１が設けられたものである。タッチパネルディスプレイ４は、成形体の形状等についての選択を可能にするとともに操作説明を表示するために備えられている。
【００２８】
金銭取り扱い部５は、硬貨投入口５１または紙幣投入口５２からの所定料金の投入を検知するものであり、必要な場合には釣り銭や投入料金の返却を行う。
【００２９】
図３は、成形型２１を示す外観斜視図である。
【００３０】
成形型２１は、ほぼ同サイズの円盤状の上型２５及び下型２６からなる。これら上型２５及び下型２６が閉じられた状態で、複数のキャビティー６１が円盤の円周に沿って形成されている。これらキャビティー６１はそれぞれハート形、ダイア形、スペード形及びその他の形状の成形品に相当するものであり、樹脂液供給装置２２のノズル６３が配された位置（成形位置６２）に位置したキャビティー６１において成形が行われる。成形型２１はターンテーブル状に回転可能であり、この成形型２１の回転により、所定のキャビティー６１を成形位置６２に配置することができる。
【００３１】
上型２５は、透明であって、ガラスまたはＵＶ透過性のプラスチック材料からなる。
【００３２】
上型２５には、各キャビティー６１と上型の上面を連結する複数の樹脂注入孔２７が設けられており、成形位置６２においては、樹脂液供給装置２２のノズル６３と接続する。
【００３３】
下型２６には、各キャビティー６１と下型の下面を連結する複数のエジェクターピン孔２８が設けられており、成形位置６２においては、エジェクター（突出装置）６４のピン６５が挿入される。エジェクター６４はソレノイドにより駆動される。
【００３４】
図４は、成形型２１による成形工程（ａ）〜（ｄ）を模式的に示す。
【００３５】
成形工程（ａ）では、成形型２１が大きく開いた状態、即ち、可動型である下型２６が充分に下がった状態で、小片投入・商品取り出し兼用口１２から投入された小片６０が、成形位置６２のキャビティー６１に相当する下型側の凹部へと、可動シュート６６を介して送り込まれる。このとき、下型２６は、充分に下降しているため、小片投入・商品取り出し兼用口１２よりも低い位置にある。可動シュート６６の一端は小片投入・商品取り出し兼用口１２に接続し、他端は、下型２６の上下動に追随して上下する。
【００３６】
投入する小片６０に上下がある場合には、上端を奥側にして兼用口１２から押し込むようにする。押し込まれた小片６０は、向きを保ったまま上記凹部に落ちる。上記凹部における奥側すなわち成形型２１の回転軸側が、成形体６７の上側に対応する。
【００３７】
キーホルダー、ペンダント等を作成する場合には、それらの金具部分の一部がキャビティー６１内に突き出すように配される。
【００３８】
成形工程（ｂ）では、まず、成形型２１がほぼ閉じられて、成形型２１を収納するチェンバーが減圧排気装置２３により減圧排気される。この後、成形型２１が完全に閉じられ、樹脂液供給装置２２からこのキャビティー６１へとＵＶ硬化樹脂が供給される。可動シュート６６は、減圧排気のためにチェンバーが閉じられている間、小片投入・商品取り出し兼用口１２の側へ跳ね上げられる。
【００３９】
投入された小片６０が大き過ぎて成形型２１が閉じられない場合には、減圧排気されることなく下記成形工程（ｄ）により小片投入・商品取り出し兼用口１２に排出される。
【００４０】
成形工程（ｃ）では、ＵＶランプ２４の照射により、キャビティー６１内の樹脂が硬化される。この時間は１〜５分程度である。
【００４１】
成形工程（ｄ）では、成形型２１が少し開かれ、硬化後の成形体６７がエジェクター６４に下型２６から押し出され、可動シュート６６を介して小片投入・商品取出兼用口１２へと排出される。このとき、下型２６は、成形体６７の排出のための間隙を開く程度にだけ下降されているため、小片投入・商品取り出し兼用口１２よりも高い位置にある。
【００４２】
図５は、実施例の自動販売機１の動作を説明するフローチャートである。
【００４３】
ステップａ１では、自動販売機１の電源が入れられ、成形装置作動プログラムを含む作動プログラムが起動する。そして、客待ちの待機状態となる。待機状態においては、タッチパネルディスプレイ４に利用を促すメッセージを表示する。例えば、「好みのアクセサリーが作れます！プリクラ入り、押し花入りもＯＫ」と表示する。
【００４４】
ステップａ２では、金銭投入が検知される。
【００４５】
ステップａ３では、成形体の形状と色彩、及び、接続する金具（キーホルダー、ペンダント等の場合の金具）についての選択が順に検知される。このとき、これらの選択を促すメッセージがタッチパネルディスプレイ４に順に表示される。例えば、金銭投入直後に、「形をお選び下さい」との文字表示が、それぞれトランプのハート形、ダイア形、スペード形及び三つ葉形をしたタッチボタンとともに表示され、タッチボタンへの押圧によって成形体の形状が選択される。
【００４６】
また、選択の完了後、釣り銭がある場合には、釣り銭を小片投入・商品取り出し兼用口１２から払い出す。
【００４７】
ステップａ４では、成形型２１を大きく開いて上記成形工程（ａ）のための待機状態とするとともに、成形体に埋め込む小片の投入を促すメッセージをタッチパネルディスプレイ４に表示する。例えば、「ハートのペンダントに埋め込む小片を、上側を奥にして入れて下さい」と表示する。
【００４８】
ステップａ５では、上記成形工程（ａ）が適切に完了したかどうかについての判定を、タッチパネルディスプレイ４のタッチボタン押圧の検知により行う。例えば、「埋め込む小片はこれでいいですか？」との文字表示を、「ＹＥＳ」「ＮＯ」のタッチボタンの表示とともに行う。
【００４９】
「ＹＥＳ」のタッチボタンが押圧されたと検知されたならば、小片６０が投入されなかった場合にもステップａ６へ進み、「ＮＯ」のタッチボタンの押圧が検知されたならば、ステップａ７へ進む。また、小片のサイズが大きすぎて成形型２１が閉じられない場合にもステップａ７へ進む。
【００５０】
ステップａ５から分岐するステップａ７では、上記成形工程（ｄ）と同様の方式で、成形型の凹部に送り込まれた小片６０が小片投入・商品取出兼用口１２へと排出される。例えば、押し花を入れたかったところを間違ってコインを入れてしまったと気づいた場合や、プリクラを裏向きに入れてしまったと気づいた場合には、このようにして排出される。ステップａ７の終了後、ステップａ４に戻る。
【００５１】
ステップａ６では、上記成形工程（ｂ）〜（ｄ）が実行される。すなわち、樹脂液注入及びＵＶ硬化の後、成形体６７が兼用口１２に払い出される。
【００５２】
ステップａ６の後、待機状態に戻り、金銭投入があるとステップａ２に進む。
【００５３】
上記実施例により、任意の小片を透明樹脂に埋め込んだアクセサリー等の小物を、客が、簡便かつ短時間に得ることができる。また、客がアクセサリーの種類、形状、色彩等を複数の選択肢から選択することができる。このように、他人が持たない自分だけの物を簡単に得ることができるので、簡易に自分らしさを演出することができ客に満足を与える。
【００５４】
しかも、多種類の商品をそれぞれ複数自動販売機の中に入れておくという必要がなく、特定の種類のものが売れ残ったり品切れになることもない。
【００５５】
このため、新しい需要を喚起できるとともに、運転コストが少なくて済む新規のカテゴリーの自動販売機を与える。
【００５６】
上記実施例において、成形体の前面が平面で良いならば、透明上型を設けず、下型のみとすることもできる。また、平板状の成形品を得る場合には、平面上に四周を囲む仕切だけ設けたものを成形型として用いることができる。
【００５７】
上記実施例において、薄い紙片を埋め込む場合には、台紙や台板に貼り付けてから投入するようにすることができる。
【００５８】
上記実施例において、プリクラの様な小寸法のインスタント写真を撮影する撮影機と一体となった装置とすることもできる。
【００５９】
上記実施例において、客が持って来た小片のみならず、これに代えて自動販売機１に準備された小片を選択できるようにすることもできる。例えば、指先大のキャラクター人形を複数種備えておくことができる。
【００６０】
【発明の効果】
任意の小片を透明樹脂に埋め込んだ装飾性の小物を、客が、簡便かつ短時間に得ることができる。しかも、形状、色彩等についても選択できる。
【図面の簡単な説明】
【図１】実施例の自動販売機の電気的構成を表すブロック図である。
【図２】実施例の自動販売機の正面図である。
【図３】実施例の自動販売機に係る成形型を示す外観斜視図である。
【図４】図３の成形型による成形工程を模式的に示す縦平面図である。（ａ）は、成形型が大きく開き、成形体に埋め込む小片が受けいられる工程を示す。（ｂ）は、成形型が閉じられ透明樹脂液が供給される工程を示す。（ｃ）は、ＵＶランプが照射され成形型内の透明樹脂液が硬化される工程を示す。（ｄ）は、成形型が開かれて硬化した成形体が排出される工程を示す。
【図５】実施例の自動販売機の作動を表すフローチャートである。
【符号の説明】
１  自動販売機
２  注型成形装置
２１  成形型
２２  樹脂液供給部
２３  減圧排気装置
２４  ＵＶランプ
３  コンピューター
４  タッチパネルディスプレイ
５  金銭取り扱い部
【図１】
0003903199.tif 000002
【図２】
0003903199.tif 000003
【図３】
0003903199.tif 000004
【図４】
0003903199.tif 000005
【図５】
0003903199.tif 000006